(57)【特許請求の範囲】
【請求項１】
本体壁面の縁近傍内側に内ネジを備えたコップ状の本体容器に対して、蓋体壁面の縁近傍外側に外ネジを備えた逆さコップ状の蓋容器の両者を螺合させて密閉でき、前記本体容器を飲用のコップとして使用できる内ネジ方式のシェイカー兼用飲用コップであって、
前記本体容器において、前記内ネジより下方の位置から上方へ立設した第２壁面を設け、前記第２壁面の縁近傍が平滑面の飲み口として提供され、前記第２壁面の高さを前記本体壁面の高さより高く延設するとともに、
前記蓋容器において、前記蓋体壁面の内壁面側に前記第２壁面の外壁面を受け入れる窪みを設け、前記本体容器の前記内ネジと前記蓋容器の前記外ネジの螺合とともに、前記第２壁面の外壁面と前記蓋体壁面の内壁面の前記窪みが嵌合し合うことを特徴とする内ネジ方式のシェイカー兼用飲用コップ。
【請求項２】
本体壁面の縁近傍外側に外ネジを備えたコップ状の本体容器に対して、蓋体壁面の縁近傍内側に内ネジを備えた逆さコップ状の蓋容器の両者を螺合させて密閉でき、前記本体容器を飲用のコップとして使用できる外ネジ方式のシェイカー兼用飲用コップであって、
前記本体容器において、前記本体壁面の内壁面側に前記第２壁面を上方へ立設したものであり、
前記第２壁面の縁近傍が平滑面の飲み口として提供され、
前記蓋容器において、前記蓋体壁面の内壁面側に前記第２壁面の外壁面を受け入れる窪みを設け、前記本体容器の前記外ネジと前記蓋容器の前記内ネジの螺合とともに、前記第２壁面の外壁面と前記蓋体壁面の内壁面の前記窪みが嵌合し合うことを特徴とする外ネジ方式のシェイカー兼用飲用コップ。
【発明の詳細な説明】
【技術分野】
【０００１】
本発明は、固形剤や粉末剤や顆粒剤などに仕上げた懸濁用組成物と、水や湯や果汁などの液分を併せ入れ、蓋を封止して密閉後に撹拌することによりスポーツドリンクや健康飲料などのドリンク剤を生成するとともに、飲用するコップともなるシェイカー兼用飲用コップに関するものである。
【背景技術】
【０００２】
スポーツドリンクや健康飲料が広く普及している。スポーツドリンクや健康飲料の提供形態として種々ある。
第１は調製済みの液体の形での提供である。そのまま飲める調製済みの液体の状態で提供され、ＰＥＴボトルなどに充填された形で提供される。
【０００３】
第２は未調製の懸濁用組成物を、固形、顆粒、粉末、または濃縮液の状態で提供され、利用者の手元で、水や湯や果汁などの液分と併せてスポーツドリンクや健康飲料を自己調製するものである。
懸濁用組成物は、水等の液体に懸濁させることで、簡単に飲料を生成することができ、手軽にスポーツドリンクや健康飲料を調製して栄養素を摂ることができることから広く利用されている。
この懸濁用組成物に含有される素材としては多様なものがある。例えば、スポーツドリンクでは水分とともに補う電解質成分や、健康飲料として体の調子を整える成分や美容への効果が高い成分などがある。
【０００４】
第１の調製済みの液体の形で提供されたものは、何らの調製をすることもなく、そのまますぐに喫飲することができるため、手軽で利便性が高い。
しかし、スポーツドリンクや健康飲料は重量が大きく、そのまま持ち運ぶのは苦痛で可搬性に欠ける点が問題である。
【０００５】
第２の未調製の懸濁用組成物として提供するものは、固形、顆粒、粉末、または濃縮液の状態で提供されるため、液分を別途調達し、適量の懸濁用組成物と適量の液分を混ぜ合わせて撹拌し、懸濁液を生成するという手間がかかる。
しかし、懸濁用組成物は、固形、顆粒、粉末、または濃縮液の状態で提供されるため、重量が小さくまた嵩張らずに持ち運ぶことができるため、可搬性が高いと言える。
【０００６】
本発明は、未調製の懸濁用組成物を適量の液分を混ぜ合わせて撹拌するために供される容器を提供するものである。
従来技術において、懸濁用組成物の撹拌用の容器として供されているものが知られている。
【０００７】
例えば、図２５に示すような、特許文献１（特開２００６−１８２４２６号公報）に開示された密閉蓋体付き容器が知られている。
図２５に示すように、容器体と蓋体を組み合わせた蓋体付き容器において、容器体の上面開口の周壁と、蓋体の蓋周壁を螺合させ、蓋体の頂壁の一部に口蓋付きの注出口を形成するとともに、容器体の上面にその容器内部を上下に２分する隔壁を取り付け、この隔壁に通液孔を開口したものである。隔壁は、通液孔を設けることで、撹拌動作により容器内部を上下動する飲料の邪魔板として飲料を攪拌する機能を有するものである。懸濁用組成物を容器内に投入し、蓋体を閉めて密封後に撹拌することにより、内部で隔壁の通液孔を通過するたびに抵抗を大きく受けてしっかりと撹拌することができるものとなっている。
【０００８】
【特許文献１】特開２００６−１８２４２６号公報
【発明の開示】
【発明が解決しようとする課題】
【０００９】
しかし、従来技術における懸濁用物質の撹拌用の容器には下記に示す問題があった。
第１の問題は、飲み口の違和感の問題である。
図２５に示すように、密閉蓋体付き容器には、いわゆる外ネジタイプのものが多いが、飲用の際に、本体容器から直接飲用する場合には本体容器の縁に直接口を付けることなる。また、本体容器から蓋体へ適量注いで蓋体をコップとして使用する場合には蓋体の縁に直接口を付けることとなる。両者いずれにしても螺合のためのネジ山がある。このネジ山は硬く、唇が触れる全面に存在しているため、利用者にとって大きな違和感を覚える原因となっていた。
【００１０】
第２の問題は、飲料が漏れ落ちるおそれがあるという問題である。
図２５に示すように、本体容器から直接飲用する場合でも蓋体をコップとして使用する場合でも口を付ける縁には螺合のためのネジ山があり、飲用する際、飲料が螺合ネジの間に入り込んでしまう。そのため、飲用している間にもネジ山の隙間を伝わって外に漏れ出し、唇からこぼれるおそれがある。
また、飲料が螺合ネジの間に入り込んだ状態のまま、飲用終了後に蓋体を本体容器に取り付ける際にも飲料が漏れ落ちるおそれがある。本体容器に蓋体を螺合させてゆくと、ネジ山同士が接触し合ってゆくのでネジ山の隙間に入り込んでいた飲料が行き場を失っていき、押し出されるように外方へ漏れ出す。この漏れ出しが大きくなってゆくと雫として容器から漏れ出してしまうおそれがある。
【００１１】
そこで、本発明は、上記問題点に鑑み、本体容器と蓋体とを螺合により確実に密封する構造としつつ、飲用する際にはネジ山に唇が触れることがない使用感の良いシェイカー兼用飲用コップを提供することを目的とする。また、飲用する際にネジ山の間に入り込んだ飲料が、飲用中およびその後の蓋体の取り付け中でも漏れ出すことない使用勝手の良いシェイカー兼用飲用コップを提供することを目的とする。
【課題を解決するための手段】
【００１２】
上記目的を達成するため、本発明の第１のタイプのシェイカー兼用飲用コップは、本体壁面の縁近傍内側に内ネジを備えたコップ状の本体容器に対して、蓋体壁面の縁近傍外側に外ネジを備えた逆さコップ状の蓋容器の両者を螺合させて密閉させるもので、前記本体容器を飲用のコップとして使用できる内ネジ方式のシェイカー兼用飲用コップであり、本体容器において、内ネジより下方の位置から上方へ立設した第２壁面を設け、第２壁面の縁近傍の平滑面を飲み口として提供する工夫が可能である。ここで、第２壁面の高さを本体壁面の高さより高く延設していれば上唇および下唇ともに触れる部分は平滑面であり、違和感がなく、また、ネジ山がコップの内壁側にあるのでコップの外壁面に飲料が伝え漏れることがない。さらに蓋容器において、蓋体壁面の内壁面側に、上記の本体容器の第２壁面の外壁面を受け入れる形の窪みを設けておき、本体容器の内ネジと蓋容器の外ネジを螺合して閉めると、第２壁面の外壁面と蓋体壁面の内壁面の窪みが嵌合し合うようにしたものである。
上記構成のコップによれば、本体容器を飲用のコップとして使用した場合、下唇が触れる部分は平坦であり、違和感が小さいものとなり、また、ネジ山がコップの内壁側にあるのでコップの外壁面に飲料が伝え漏れることがない。
【００１５】
次に、上記目的を達成するため、本発明の第２のタイプのシェイカー兼用飲用コップは、本体壁面の縁近傍内側に内ネジを備えたコップ状の本体容器に対して、蓋体壁面の縁近傍外側に外ネジを備えた逆さコップ状の蓋容器の両者を螺合させて密閉させるもので、蓋容器において、蓋体壁面の内壁面側に第２壁面を下方へ立設し、第２壁面の縁近傍を平滑面の飲み口として提供するものである。蓋容器を飲用のコップとして使用すれば、上唇および下唇ともに触れる部分は平滑面であり、違和感がない。飲用する際にも液分がネジ山に入ることがないのでコップの外壁面に飲料が伝え漏れることがない。
【００１６】
次に、上記目的を達成するため、本発明の第３のタイプのシェイカー兼用飲用コップは、本体壁面の縁近傍外側に外ネジを備えたコップ状の本体容器に対して、蓋体壁面の縁近傍内側に内ネジを備えた逆さコップ状の蓋容器の両者を螺合させて密閉させるものである。上記構成のコップによれば、蓋容器を飲用のコップとして使用した場合、下唇が触れる部分は平坦であり、違和感が小さいものとなり、また、ネジ山がコップの内壁側にあるのでコップの外壁面に飲料が伝え漏れることがない。
【００１７】
上記第３のタイプのコップを改良し、蓋容器において、内ネジより上方の位置から下方へ立設した第２壁面を設け、第２壁面の縁近傍が平滑面の飲み口として提供する工夫がある。第２壁面の高さの位置を蓋体壁面の高さより下方まで延設していれば、上唇および下唇ともに触れる部分は平滑面であり、違和感がなく、また、ネジ山がコップの内壁側にあるのでコップの外壁面に飲料が伝え漏れることがない。
【００１８】
さらに、上記第３のタイプのコップを改良し、本体容器において、本体壁面の内壁面側に第２壁面の外壁面を受け入れる窪みを設けておき、本体容器の外ネジと蓋容器の内ネジを螺合して閉めると、第２壁面の外壁面と本体壁面の内壁面の窪みが嵌合し合うようにすることができる。
【００１９】
次に、上記目的を達成するため、本発明の第４のタイプのシェイカー兼用飲用コップは、本体壁面の縁近傍外側に外ネジを備えたコップ状の本体容器に対して、蓋体壁面の縁近傍内側に内ネジを備えた逆さコップ状の蓋容器の両者を螺合させて密閉させるもので、本体容器において、本体壁面の内壁面側に前記第２壁面を上方へ立設したものであり、第２壁面の縁近傍が平滑面の飲み口として提供され、前記蓋容器において、前記蓋体壁面の内壁面側に前記第２壁面の外壁面を受け入れる窪みを設け、前記本体容器の前記外ネジと前記蓋容器の前記内ネジの螺合とともに、前記第２壁面の外壁面と前記蓋体壁面の内壁面の前記窪みが嵌合し合うものである。本体容器を飲用のコップとして使用すれば、上唇および下唇ともに触れる部分は平滑面であり、違和感がない。飲用する際にも液分がネジ山に入ることがないのでコップの外壁面に飲料が伝え漏れることがない。
【発明の効果】
【００２０】
本発明のシェイカー兼用飲用コップによれば、本体容器と蓋容器とを螺合により完全に密封してシェイク動作を可能とし、さらに、飲用する際に、コップのタイプに応じて本体容器または蓋容器のいずれかを飲用のコップとして使用でき、飲み口として上唇や下唇が触れる部分は違和感がなく、飲用した後にもネジ山の存在によってコップの外壁面に飲料が伝え漏れることがない。
【発明を実施するための最良の形態】
【００２１】
以下、図面を参照しつつ、本発明のシェイカー兼用飲用コップの実施形態を説明する。ただし、本発明の技術的範囲は以下の実施形態に示した具体的な用途や形状・寸法などには限定されない。
【実施例１】
【００２２】
図１は、実施例１にかかる本発明のシェイカー兼用飲用コップ１００の構成例を簡単に示す図である。実施例１にかかるシェイカー兼用飲用コップ１００は、本発明の第１のタイプのコップの例であり、いわゆる内ネジタイプの螺合容器である。本体容器を飲用のコップとして使用するタイプである。
実施例１にかかるシェイカー兼用飲用コップ１００は、図１に示すように、本体容器１１０、蓋容器１２０を備えたものとなっている。
本体容器１１０はコップ状の容器であり、図１に示すように、本体壁面１１１、内ネジ１１２が設けられている。
【００２３】
本体壁面１１１は、本体底面から周囲に立設された壁面である。
内ネジ１１２は、本体壁面１１１の縁近傍内側に設けられたものである。この内ネジ１１２は蓋容器１２０側の外ネジ１２２と螺合するものである。
蓋容器１２０は逆さコップ状のものであり、図１に示すように、蓋体壁面１２１、外ネジ１２２が設けられている。
【００２４】
蓋体壁面１２１は、蓋容器の上面から周囲に垂下するよう設けられた壁面である。
【００２５】
外ネジ１２２は、蓋体壁面１２１の縁近傍外側に設けられたものである。この外ネジ１２２は、本体容器１１０側の内ネジ１１２と螺合するものである。
図１（ｂ）に示すように、この本体容器１１０と蓋容器１２０は、内ネジ１１２及び外ネジ１２２とを螺合させて密閉できる構造となっている。
【００２６】
この第１のタイプのシェイカー兼用飲用コップ１００の使用方法について説明する。図２から図４は第１のタイプのシェイカー兼用飲用コップ１００の使用方法を簡単に示す図である。
【００２７】
まず、図２（ａ）の状態で、本体容器１１０の中に、固形剤や粉末剤や顆粒剤などで提供されている懸濁用組成物と、水や湯や果汁などの液分を適量併せ入れる。
【００２８】
次に、蓋容器１２０を封止して図２（ｂ）の密閉状態にする。
【００２９】
次に、図３（ａ）に示すように、密閉後にシェイク・撹拌してスポーツドリンクや健康飲料などのドリンク剤を生成する。
【００３０】
次に、図３（ｂ）に示すように、蓋容器１２０の螺合を解いて外し、本体容器１１０を通常のコップのように飲用するコップとして使用する。
【００３１】
図４は飲用する際の唇とコップの状態を示す図である。
図４に示すように、本体容器１１０を飲用のコップとして使用した場合、下唇が触れる部分は平坦であり、違和感が小さいものとなる。また、ネジ山がコップの内壁側にあるのでコップの外壁面に飲料が伝え漏れることがない。
【実施例２】
【００３２】
実施例２は、実施例１に示した第１のタイプのコップにさらに工夫したものである。つまり実施例２にかかるシェイカー兼用飲用コップ１００ａも、本発明の第１のタイプのコップの例であり、いわゆる内ネジタイプの螺合容器である。本体容器を飲用のコップとして使用するタイプである。
【００３３】
図５は、実施例２にかかる本発明のシェイカー兼用飲用コップ１００ａの構成例を簡単に示す図である。
実施例２にかかるシェイカー兼用飲用コップ１００ａは、図５に示すように、本体容器１１０ａ、蓋容器１２０ａを備えたものとなっている。
本体容器１１０ａはコップ状の容器であり、図５に示すように、本体壁面１１１、内ネジ１１２に加え、第２壁面１１３が設けられている。
【００３４】
本体壁面１１１は、実施例１と同様、本体底面から周囲に立設された壁面である。
【００３５】
内ネジ１１２は、実施例１と同様、本体壁面１１１の縁近傍内側に設けられたものである。この内ネジ１１２が蓋容器１２０ａ側の外ネジ１２２と螺合するものである。
【００３６】
第２壁面１１３は、図５（ａ）に示すように、内ネジ１１２より下方の位置から上方へ立設した壁面である。図５（ｃ）は第２壁面１１３および窪み１２３の構造が分かりやすいように縦断した端面図を示した図である。第２壁面１１３の幅、高さとも窪み１２３に対応する幅と高さとなっており、図５（ｄ）に示すように、両者が嵌合し合う関係となっている。
【００３７】
この第２壁面１１３の縁近傍が平滑面の飲み口として提供される。ここで、第２壁面１１３の高さは本体壁面１１１の高さより高く延設されている。このため、飲用する際には後述する図８に示すように内ネジ１１２がまったく邪魔とならない。
【００３８】
蓋容器１２０ａは逆さコップ状のものであり、この例では、図５（ａ）に示すように、蓋体壁面１２１、外ネジ１２２に加え、窪み１２３が設けられている。
【００３９】
蓋体壁面１２１は、実施例１と同様、蓋容器の上面から周囲に垂下するよう設けられた壁面である。
【００４０】
外ネジ１２２は、実施例１と同様、蓋体壁面１２１の縁近傍外側に設けられたものである。この外ネジ１２２は、本体容器１１０ａ側の内ネジ１１２と螺合するものである。
図５（ｂ）に示すように、この本体容器１１０ａと蓋容器１２０ａは、内ネジ１１２及び外ネジ１２２とを螺合させて密閉できる構造となっている。
【００４１】
窪み１２３は、第２壁面１１３に対応するものであり、第２壁面１１３を受け入れる空間を提供する。後述するように、本体容器１１０ａと蓋容器１２０ａを螺合する際には第２壁面１１３が窪み１２３に嵌まり込む。図５（ｃ）は第２壁面１１３および窪み１２３の構造が分かりやすいように縦断した端面図を示した図である。上記したように窪み１２３の幅、高さとも、第２壁面１１３に対応する幅と高さとなっており、図５（ｄ）に示すように、両者が嵌合し合う関係となっている。
【００４２】
次に、この実施例２にかかるシェイカー兼用飲用コップ１００ａの使用方法について説明する。図６から図８は実施例２にかかるシェイカー兼用飲用コップ１００ａの使用方法を簡単に示す図である。
まず、図６（ａ）の状態で、本体容器１１０の中に、固形剤や粉末剤や顆粒剤などで提供されている懸濁用組成物と、水や湯や果汁などの液分を適量併せ入れる。
【００４３】
次に、蓋容器１２０を封止して図６（ｂ）の状態にする。ここで、内ネジ１１２と外ネジ１２２が螺合するともに、本体容器１１０ａの第２壁面１１３が蓋容器１２０ａの窪み１２３に嵌まり込む。
【００４４】
次に、図７（ａ）に示すように、密閉後にシェイカー兼用飲用コップ１００ａをシェイク・撹拌してスポーツドリンクや健康飲料などのドリンク剤を生成する。
【００４５】
次に、図７（ｂ）に示すように、蓋容器１２０ａの螺合を解いて外し、本体容器１１０ａを通常のコップのように飲用するコップとして使用する。
【００４６】
図８は飲用する際の唇とコップの状態を示す図である。
図８に示すように、本体容器１１０ａを飲用のコップとして使用した場合、上唇および下唇ともに触れる第２壁面１１３の縁部分は平坦であり、違和感がない。また、液分が内ネジ１１２と外ネジ１２２などのネジ山に触れることがないため、ネジ山に液分が溜まってコップの外壁面に飲料が漏れることがない。
【実施例３】
【００４７】
図９は、実施例３にかかる本発明の第２のタイプのシェイカー兼用飲用コップ１００ｂの構成例を簡単に示す図である。実施例３にかかるシェイカー兼用飲用コップ１００ｂは、本発明の第２のタイプのコップの例であり、いわゆる内ネジタイプの螺合容器である。蓋容器を飲用のコップとして使用するタイプである。
実施例３にかかるシェイカー兼用飲用コップ１００ｂは、図９に示すように、本体容器１１０ｂ、蓋容器１２０ｂを備えたものとなっている。なお、この実施例３にかかるシェイカー兼用飲用コップ１００ｂは飲用に用いるコップは蓋容器１２０ｂ側となる。
本体容器１１０ｂはコップ状の容器であり、図９に示すように、実施例１と同様、本体壁面１１１、内ネジ１１２が設けられている。
【００４８】
本体壁面１１１、内ネジ１１２は、実施例１と同様であるので説明を省略する。
蓋容器１２０ｂは逆さコップ状のものであり、図９に示すように、蓋体壁面１２１、外ネジ１２２に加え、第２壁面１２４が設けられている。
【００４９】
蓋体壁面１２１、外ネジ１２２は、実施例１と同様であるので説明を省略する。
第２壁面１２４は、蓋体壁面１２１の内壁面側から下方へ垂下した壁面であり、縁近傍が平滑面の飲み口として提供されるものである。図９（ｃ）は第２壁面１２４の構造が分かりやすいように縦断した端面図を示した図である。上記したように第２壁面１２４の位置は、図９（ｄ）に示すように、本体容器１１０ｂの壁面１１１の内壁面側に沿う形で嵌まり込むような位置に設けられている。
【００５０】
実施例３にかかる第２のタイプのシェイカー兼用飲用コップ１００ｂでは、蓋容器１２０ｂを飲用のコップとして使用できる。
図９（ｂ）に示すように、この本体容器１１０ｂと蓋容器１２０ｂは、内ネジ１１２及び外ネジ１２２とを螺合させて密閉できる構造となっている。その際、第２壁面１２４は、図９（ｄ）に示すように、本体容器１１０ｂの壁面１１１の内壁面側に沿う形で嵌まり込む。
【００５１】
この第２のタイプのシェイカー兼用飲用コップ１００ｂの使用方法について説明する。図１０から図１２は第２のタイプのシェイカー兼用飲用コップ１００ｂの使用方法を簡単に示す図である。
【００５２】
まず、図１０（ａ）の状態で、本体容器１１０ｂの中に、固形剤や粉末剤や顆粒剤などで提供されている懸濁用組成物と、水や湯や果汁などの液分を適量併せ入れる。
【００５３】
次に、蓋容器１２０ｂを封止して図１０（ｂ）の状態にする。ここで、図９（ｄ）に示したように、内ネジ１１２と外ネジ１２２が螺合するともに、第２壁面１２４が本体容器１１０ｂの内壁面に沿うように入り込む。
【００５４】
次に、図１１（ａ）に示すように、密閉後にシェイク・撹拌してスポーツドリンクや健康飲料などのドリンク剤を生成する。
【００５５】
次に、図１１（ｂ）に示すように、蓋容器１２０ｂの螺合を解いて外す。ここで、実施例１および実施例２とは異なり、蓋容器１２０ｂを通常のコップのように飲用するコップとして使用する。本体容器１１０ｂから飲用に供する量の飲料を一旦、蓋容器１２０ｂ側に移し、その後、蓋容器１２０ｂをコップとして使用する。
【００５６】
図１２は飲用する際の唇とコップの状態を示す図である。
図１２に示すように、本体容器１１０ｂを飲用のコップとして使用した場合、上唇および下唇ともに触れる第２壁面１２４の縁部分は平坦であり、違和感がない。また、ネジ山に液分が触れることがなく、コップの外壁面に飲料が伝え漏れることがない。
【実施例４】
【００５７】
図１３は、実施例４にかかる本発明のシェイカー兼用飲用コップ１００ｃの構成例を簡単に示す図である。実施例４にかかるシェイカー兼用飲用コップ１００ｃは、本発明の第３のタイプのコップの例であり、いわゆる外ネジタイプの螺合容器である。蓋容器を飲用のコップとして使用するタイプである。
実施例４にかかるシェイカー兼用飲用コップ１００ｃは、図１３に示すように、本体容器１１０ｃ、蓋容器１２０ｃを備えたものとなっている。
本体容器１１０ｃはコップ状の容器であり、図１３に示すように、本体壁面１１１、外ネジ１１４が設けられている。
【００５８】
本体壁面１１１は、本体底面から周囲に立設された壁面である。
【００５９】
外ネジ１１４は、本体壁面１１１の縁近傍外側に設けられたものである。この外ネジ１１４は蓋容器１２０側の内ネジ１２５と螺合するものである。
【００６０】
蓋容器１２０ｃは逆さコップ状のものであり、図１３に示すように、蓋体壁面１２１、内ネジ１２５が設けられている。
【００６１】
蓋体壁面１２１は、蓋容器１２０ｃの上面から周囲に垂下するよう設けられた壁面である。
【００６２】
内ネジ１２５は、蓋体壁面１２１の縁近傍内側に設けられたものである。この内ネジ１２５は、本体容器１１０側の外ネジ１１４と螺合するものである。
図１３（ｂ）に示すように、この本体容器１１０ｃと蓋容器１２０ｃは、外ネジ１１４及び内ネジ１２５とを螺合させて密閉できる構造となっている。
【００６３】
この第３のタイプのシェイカー兼用飲用コップ１００ｃの使用方法について説明する。図１４から図１６は第３のタイプのシェイカー兼用飲用コップ１００ｃの使用方法を簡単に示す図である。
【００６４】
まず、図１４（ａ）の状態で、本体容器１１０ｃの中に、固形剤や粉末剤や顆粒剤などで提供されている懸濁用組成物と、水や湯や果汁などの液分を適量併せ入れる。
【００６５】
次に、蓋容器１２０を封止して図１４（ｂ）の状態にする。
【００６６】
次に、図１５（ａ）に示すように、密閉後にシェイク・撹拌してスポーツドリンクや健康飲料などのドリンク剤を生成する。
【００６７】
次に、図１５（ｂ）に示すように、蓋容器１２０の螺合を解いて外し、本体容器１１０ｃから蓋容器１２０ｃに適量の飲料を移し入れ、蓋容器１２０ｃを通常のコップのように飲用するコップとして使用する。
【００６８】
図１６は飲用する際の唇とコップの状態を示す図である。
図１６に示すように、本体容器１１０ｃを飲用のコップとして使用した場合、下唇が触れる部分は平坦であり、違和感が小さいものとなる。また、ネジ山がコップの内壁側にあるのでコップの外壁面に飲料が伝え漏れることがない。
【実施例５】
【００６９】
実施例５は、実施例４に示した第３のタイプのコップにさらに工夫したものである。実施例４にかかるシェイカー兼用飲用コップ１００ｄは、本発明の第３のタイプのコップの例であり、いわゆる外ネジタイプの螺合容器である。蓋容器を飲用のコップとして使用するタイプである。
図１７は、実施例５にかかる本発明のシェイカー兼用飲用コップ１００ｄの構成例を簡単に示す図である。
実施例５にかかるシェイカー兼用飲用コップ１００ｄは、図１７に示すように、本体容器１１０ｄ、蓋容器１２０ｄを備えたものとなっている。
【００７０】
本体容器１１０ｄはコップ状の容器であり、図１７に示すように、本体壁面１１１、外ネジ１１４が設けられている。
【００７１】
本体壁面１１１、外ネジ１１４は、実施例４と同様のものである。
【００７２】
蓋容器１２０ｄは逆さコップ状のものであり、この例では、図１７に示すように、蓋体壁面１２１、内ネジ１２５に加え、第２壁面１２６が設けられている。
【００７３】
蓋体壁面１２１、内ネジ１２５は、実施例４と同様のものであり、図１７（ｄ）に示すように、内ネジ１２５は、本体容器１１０ｄ側の外ネジ１１４と螺合するものであり、この本体容器１１０ｄと蓋容器１２０ｄは、外ネジ１１４及び内ネジ１２５とを螺合させて密閉できる構造となっている。
【００７４】
第２壁面１２６は、内ネジ１２５より上方の位置から下方へ設けた壁面である。図１７（ｃ）は第２壁面１２６の構造が分かりやすいように縦断した端面図を示した図である。上記したように第２壁面１２６の位置は、本体容器１１０ｄの壁面１１１の内壁面側に沿う形で嵌まり込むものとなっている。
【００７５】
本実施例５では、この第２壁面１２６の縁近傍が平滑面の飲み口として提供される。ここで、第２壁面１２６の高さは蓋体壁面１２１の高さより低く延設、つまり、下方に突出するように形成されている。このため、飲用する際には内ネジ１２５がまったく邪魔とならない。
【００７６】
この実施例５にかかるシェイカー兼用飲用コップ１００ｄの使用方法について説明する。図１８から図２０は実施例５にかかるシェイカー兼用飲用コップ１００ｄの使用方法を簡単に示す図である。
【００７７】
まず、図１８（ａ）の状態で、本体容器１１０ｄの中に、固形剤や粉末剤や顆粒剤などで提供されている懸濁用組成物と、水や湯や果汁などの液分を適量併せ入れる。
【００７８】
次に、蓋容器１２０ｄを封止して図１８（ｂ）の状態にする。ここで、外ネジ１１４と内ネジ１２５が螺合する。
【００７９】
次に、図１９（ａ）に示すように、シェイカー兼用飲用コップ１００ｄを密閉後にシェイク・撹拌してスポーツドリンクや健康飲料などのドリンク剤を生成する。
【００８０】
次に、図１９（ｂ）に示すように、蓋容器１２０の螺合を解いて外し、本体容器１１０ｄから蓋容器１２０ｄに適量の飲料を移し入れ、蓋容器１２０ｄを通常のコップのように飲用するコップとして使用する。
【００８１】
図２０は飲用する際の唇とコップの状態を示す図である。
図２０に示すように、本体容器１１０ｄを飲用のコップとして使用した場合、上唇および下唇ともに触れる部分は平坦であり、違和感がない。また、ネジ山に液分が触れることがなく、コップの外壁面に飲料が伝え漏れることがない。
【実施例６】
【００８２】
図２１は、実施例６にかかる本発明の第４のタイプのシェイカー兼用飲用コップ１００ｅの構成例を簡単に示す図である。実施例６にかかるシェイカー兼用飲用コップ１００ｅは、本発明の第４のタイプのコップの例であり、いわゆる外ネジタイプの螺合容器である。本体容器を飲用のコップとして使用するタイプである。
【００８３】
実施例６にかかるシェイカー兼用飲用コップ１００ｅは、図２１に示すように、本体容器１１０ｅ、蓋容器１２０ｅを備えたものとなっている。なお、この実施例６にかかるシェイカー兼用飲用コップ１００ｅは飲用に用いるコップは本体容器１２０ｅ側となる。
本体容器１１０ｅはコップ状の容器であり、図２１に示すように、実施例４と同様、本体壁面１１１、外ネジ１１４に加え、第２壁面１１５が設けられている。
【００８４】
本体壁面１１１、外ネジ１１４は、実施例４と同様であるので説明を省略する。
【００８５】
第２壁面１１５は、本体壁面１１１の内壁面側に上方へ立設した壁面であり、縁近傍が平滑面の飲み口として提供されるものである。
【００８６】
蓋容器１２０ｅは逆さコップ状のものであり、図２１に示すように、蓋体壁面１２１、内ネジ１２５に加えて、窪み１２７が設けられている。
【００８７】
蓋体壁面１２１、内ネジ１２５は、実施例４と同様であるので説明を省略する。
【００８８】
図２１（ｂ）に示すように、この本体容器１１０ｅと蓋容器１２０ｅは、外ネジ１１４及び内ネジ１２５とを螺合させて密閉できる構造となっている。
【００８９】
窪み１２７は、第２壁面１１５に対応するものであり、第２壁面１１５を受け入れる空間を提供する。後述するように、本体容器１１０ｅと蓋容器１２０ｅを螺合する際には第２壁面１１５が窪み１２７に嵌まり込む。図２１（ｃ）は第２壁面１１５および窪み１２７の構造が分かりやすいように縦断した端面図を示した図である。上記したように窪み１２７の幅、高さとも、第２壁面１１５に対応する幅と高さとなっており、図２１（ｄ）に示すように、両者が嵌合し合う関係となっている。
実施例６にかかる第４のタイプのシェイカー兼用飲用コップ１００ｅでは、容器本体１１０ｅを飲用のコップとして使用できる。
【００９０】
この第４のタイプのシェイカー兼用飲用コップ１００ｅの使用方法について説明する。図２２から図２４は第４のタイプのシェイカー兼用飲用コップ１００ｅの使用方法を簡単に示す図である。
【００９１】
まず、図２２（ａ）の状態で、本体容器１１０ｅの中に、固形剤や粉末剤や顆粒剤などで提供されている懸濁用組成物と、水や湯や果汁などの液分を適量併せ入れる。
【００９２】
次に、蓋容器１２０ｅを封止して図２２（ｂ）の状態にする。ここで、外ネジ１１４と内ネジ１２５が螺合するともに、第２壁面１１５が窪み１２７に嵌まり込む。
【００９３】
次に、図２３（ａ）に示すように、密閉後にシェイク・撹拌してスポーツドリンクや健康飲料などのドリンク剤を生成する。
【００９４】
次に、図２３（ｂ）に示すように、蓋容器１２０ｅの螺合を解いて外す。ここで、実施例４および実施例５とは異なり、本体容器１１０ｅを通常のコップのように飲用するコップとして使用する。
【００９５】
図２４は飲用する際の唇とコップの状態を示す図である。
図２４に示すように、本体容器１１０ｅを飲用のコップとして使用した場合、上唇および下唇ともに触れる部分は平坦であり、違和感がない。また、ネジ山に液分が触れることがなく、コップの外壁面に飲料が伝え漏れることがない。
【００９６】
以上、本発明のシェイカー兼用飲用コップの実施例を説明してきたが、本発明の技術的範囲を逸脱することなく種々の変更が可能であることは理解されるであろう。
【産業上の利用可能性】
【００９７】
本発明のシェイカー兼用飲用コップは、固形剤や粉末剤や顆粒剤などに仕上げた懸濁用組成物と、水や湯や果汁などの液分を併せ入れ、蓋を封止して密閉後に撹拌することによりスポーツドリンクや健康飲料などのドリンク剤を生成するとともに飲用するコップともなるシェイカー兼用飲用コップとして広く適用することができる。
【図面の簡単な説明】
【００９８】
【図１】実施例１にかかる本発明のシェイカー兼用飲用コップ１００の構成例を簡単に示す図である。
【図２】実施例１にかかる第１のタイプのシェイカー兼用飲用コップ１００の使用方法について説明する図（その１）である。
【図３】実施例１にかかる第１のタイプのシェイカー兼用飲用コップ１００の使用方法について説明する図（その２）である。
【図４】実施例１にかかる第１のタイプのシェイカー兼用飲用コップ１００の使用方法について説明する図（その３）である。
【図５】実施例２にかかる本発明のシェイカー兼用飲用コップ１００ａの構成例を簡単に示す図である。
【図６】実施例２にかかる第１のタイプのシェイカー兼用飲用コップ１００ａの使用方法について説明する図（その１）である。
【図７】実施例２にかかる第１のタイプのシェイカー兼用飲用コップ１００ａの使用方法について説明する図（その２）である。
【図８】実施例２にかかる第１のタイプのシェイカー兼用飲用コップ１００ａの使用方法について説明する図（その３）である。
【図９】実施例３にかかる本発明の第２のタイプのシェイカー兼用飲用コップ１００ｂの構成例を簡単に示す図である。
【図１０】実施例３にかかる第２のタイプのシェイカー兼用飲用コップ１００ｂの使用方法について説明する図（その１）である。
【図１１】実施例３にかかる第２のタイプのシェイカー兼用飲用コップ１００ｂの使用方法について説明する図（その２）である。
【図１２】実施例３にかかる第２のタイプのシェイカー兼用飲用コップ１００ｂの使用方法について説明する図（その３）である。
【図１３】実施例４にかかる第３のタイプの本発明のシェイカー兼用飲用コップ１００ｃの構成例を簡単に示す図である。
【図１４】実施例４にかかる第３のタイプのシェイカー兼用飲用コップ１００ｃの使用方法について説明する図（その１）である。
【図１５】実施例４にかかる第３のタイプのシェイカー兼用飲用コップ１００ｃの使用方法について説明する図（その２）である。
【図１６】実施例４にかかる第３のタイプのシェイカー兼用飲用コップ１００ｃの使用方法について説明する図（その３）である。
【図１７】実施例５にかかる本発明のシェイカー兼用飲用コップ１００ｄの構成例を簡単に示す図である。
【図１８】実施例５にかかる第３のタイプのシェイカー兼用飲用コップ１００ｄの使用方法について説明する図（その１）である。
【図１９】実施例５にかかる第３のタイプのシェイカー兼用飲用コップ１００ｄの使用方法について説明する図（その２）である。
【図２０】実施例５にかかる第３のタイプのシェイカー兼用飲用コップ１００ｄの使用方法について説明する図（その３）である。
【図２１】実施例６にかかる本発明の第４のタイプのシェイカー兼用飲用コップ１００ｅの構成例を簡単に示す図である。
【図２２】実施例６にかかる第４のタイプのシェイカー兼用飲用コップ１００ｅの使用方法について説明する図（その１）である。
【図２３】実施例６にかかる第４のタイプのシェイカー兼用飲用コップ１００ｅの使用方法について説明する図（その２）である。
【図２４】実施例６にかかる第４のタイプのシェイカー兼用飲用コップ１００ｅの使用方法について説明する図（その３）である。
【図２５】従来技術の特開２００６−１８２４２６号公報に開示された密閉蓋体付き容器を示した図である。
【符号の説明】
【００９９】
１００  シェイカー兼用飲用コップ
１１０  本体容器
１１１  本体壁面
１１２  内ネジ
１１３  第２壁面
１１４  外ネジ
１１５  第２壁面
１２０  蓋容器
１２１  蓋体壁面
１２２  外ネジ
１２３  窪み
１２４  第２壁面
１２５  内ネジ
１２６  第２壁面
１２７  窪み
【要約】
【課題】  本体容器と蓋体を螺合により密封する構造としつつ、飲用する際にはネジ山に唇が触れない使用感の良いシェイカー兼用飲用コップを提供する。
【解決手段】  本体壁面１１１の縁近傍内側に内ネジ１１２を備えたコップ状の本体容器１１０に対して、蓋体壁面１２１の縁近傍外側に外ネジ１２２を備えた逆さコップ状の蓋容器１２０の両者を螺合させて密閉できる。工夫の一例として、本体容器１１０において、内ネジ１１２より下方の位置から上方へ立設した第２壁面１１３を設け、第２壁面１１３の縁近傍が平滑面の飲み口として提供される。第２壁面１１３の高さを本体壁面１１１の高さより高く延設することができる。
【選択図】図５【図１】
0005949990.tif 000002
【図２】
0005949990.tif 000003
【図３】
0005949990.tif 000004
【図４】
0005949990.tif 000005
【図５】
0005949990.tif 000006
【図６】
0005949990.tif 000007
【図７】
0005949990.tif 000008
【図８】
0005949990.tif 000009
【図９】
0005949990.tif 000010
【図１０】
0005949990.tif 000011
【図１１】
0005949990.tif 000012
【図１２】
0005949990.tif 000013
【図１３】
0005949990.tif 000014
【図１４】
0005949990.tif 000015
【図１５】
0005949990.tif 000016
【図１６】
0005949990.tif 000017
【図１７】
0005949990.tif 000018
【図１８】
0005949990.tif 000019
【図１９】
0005949990.tif 000020
【図２０】
0005949990.tif 000021
【図２１】
0005949990.tif 000022
【図２２】
0005949990.tif 000023
【図２３】
0005949990.tif 000024
【図２４】
0005949990.tif 000025
【図２５】
0005949990.tif 000026